(57)【要約】カメラのトップフラッシュランプは、ランプベース（２）及びランプヘッド（１）を備える。ランプベース（２）には、電池収納チェンバー（４）及び電池収納チェンバーカバー（３）が形成される。電池収納チェンバー（４）内には、リチウム電池（５）が収納され、リチウム電池（５）は、電気出力コンタクト（６）を備える。電気出力コンタクト（６）は、直角片状を呈し、端面直角辺（６１）と底面直角辺（６２）からなり、端面直角辺（６１）は、リチウム電池（５）の前端面（５１）に位置し、底面直角辺（６２）は、リチウム電池（５）の底面（５２）に設置される。電池収納チェンバー（４）内には、電気入力コンタクト（７）が備わり、電池収納チェンバー（４）におけるリチウム電池（５）の底面（５２）に対向する側壁に設けられる。このトップフラッシュランプは、性能を改善し、全体コストを低減する。【選択図】図１
2016513813.tif 000002
【特許請求の範囲】
【請求項１】
ランプベース及びランプヘッドを備え、前記ランプヘッドは、ランプベースに蝶着され、ランプベースに対して回動可能であり、前記ランプベースには、電池収納チェンバーが形成され、電池収納チェンバーカバーがさらに備わるカメラのトップフラッシュランプであって、
前記電池収納チェンバー内には、リチウム電池が収納され、前記リチウム電池は、電気出力コンタクトを備え、前記電気出力コンタクトは、直角片状を呈し、端面直角辺と底面直角辺からなり、前記端面直角辺は、前記リチウム電池の前端面に位置し、前記底面直角辺は、リチウム電池の底面に設置され、前記電池収納チェンバー内には、電気入力コンタクトが備わり、少なくとも前記電池収納チェンバーにおけるリチウム電池の底面に対向する側壁に電気入力コンタクトが設けられることを特徴とするカメラのトップフラッシュランプ。
【請求項２】
前記電気入力コンタクトは、直角片状を呈し、前記電気出力コンタクトの端面直角辺に対応する第一直角辺及び前記電気出力コンタクトの底面直角辺に対応する第二直角辺を備え、前記第二直角辺の一端は、前記電池収納チェンバーにおけるリチウム電池の底面に対向する側壁に固定され、且つ、前記第二直角辺と前記電池収納チェンバーにおけるリチウム電池の底面に対向する側壁との間には、５〜２０度の夾角が形成されることを特徴とする請求項１に記載のカメラのトップフラッシュランプ。
【発明の詳細な説明】
【技術分野】
【０００１】
本発明は、改良のカメラのトップフラッシュランプに関し、撮影器材類に属する。
【背景技術】
【０００２】
カメラのトップフラッシュランプは、撮影者によってよく用いられる撮影補助用具であり、よく見つかるものである。従来技術では、前記カメラのトップフラッシュランプは、ランプベース及びランプヘッドを備える。前記ランプヘッドは、ランプベースに蝶着され、ランプベースに対して回動可能である。前記ランプベースには、電池収納チェンバーが形成される。前記カメラのトップフラッシュランプは、従来、四つのＡＡ電池を前記カメラのトップフラッシュランプに用いられる内蔵電源として採用する。このため、ランプベース内の電池収納チェンバーは、四つのＡＡ電池収納チェンバーから構成される。このようなカメラのトップフラッシュランプは、性能がよくない問題があり、主に、ランプ充電時間が長く、発光回数が少なく、ランプ内の四つのＡＡ電池が満充電である場合、ランプ充電に必要な時間が３．５秒以上であり、電池の充電量の減少に伴って、ランプ充電に必要な時間が一層長くなり、使用者の現場での連続撮影の要求を満たさないと共に、満充電の場合、一般的に、最大限２００回左右の発光に過ぎないことを呈する。この問題を解決するために、使用者は、値段が高い外付け電源ボックスを更に買わなければならない。実際上、フラッシュランプと、四つのニッケル水素ＡＡ電池と、ＡＡ電池充電器と、外付け電源ボックスと、外付け電源ボックス充電器とは、カメラのトップフラッシュランプの使用者の標準配置になり、さもなければ、撮影の要求を到底満たしにくい。且つ、携帯は非常に不便になる。近年、携帯電子設備の高速発展に伴って、市場に、多くの新型の電池製品、例えば、高容量のリチウム電池が現れるが、しかしながら、カメラのトップフラッシュランプに配置される内蔵電池は、変化することなく、依然としてＡＡ電池を使用する。使用習慣の要因以外に、カメラのトップフラッシュランプに用いられる電池は、充電電池であり、ランプベースに固定設置されることが不適当になり、さもなければ、電池の寿命が尽きる場合、カメラのトップフラッシュランプ全体も一緒に殆ど廃品になる。一方、高容量のリチウム電池は、ランプベースに固定されないように設置され、この場合、電気接続コンタクトに対する要求が非常に高くなり、ランプベースに関するモールドの改造さえに関連する。以上の理由に基づいて、従来のトップフラッシュランプにＡＡ電池がずっと使用されることは理解しやすい。要するに、従来技術は、さらに改良する必要があることが明らかである。
【発明の概要】
【０００３】
本発明は、改良のカメラのトップフラッシュランプを提供し、従来技術の問題を解決することを目的とする。
【０００４】
本発明に係る改良のカメラのトップフラッシュランプは、ランプベース及びランプヘッドを備え、前記ランプヘッドは、ランプベースに蝶着され、ランプベースに対して回動可能であり、前記ランプベースには、電池収納チェンバーが形成され、電池収納チェンバーカバーがさらに備わっており、前記電池収納チェンバー内には、リチウム電池が収納され、前記リチウム電池は、電気出力コンタクトを備え、前記電気出力コンタクトは、直角片状を呈し、端面直角辺と底面直角辺からなり、前記端面直角辺は、前記リチウム電池の前端面に位置し、前記底面直角辺は、リチウム電池の底面に設置され、前記電池収納チェンバー内には、電気入力コンタクトが備わり、少なくとも前記電池収納チェンバーにおけるリチウム電池の底面に対向する側壁に電気入力コンタクトが設けられることを特徴とする。
【０００５】
好ましくは、前記電気入力コンタクトは、直角片状を呈し、前記電気出力コンタクトの端面直角辺に対応する第一直角辺及び前記電気出力コンタクトの底面直角辺に対応する第二直角辺を備え、前記第二直角辺の一端は、前記電池収納チェンバーにおけるリチウム電池の底面に対向する側壁に固定され、且つ、前記第二直角辺と前記電池収納チェンバーにおけるリチウム電池の底面に対向する側壁との間には、５〜２０度の夾角が形成される。
【０００６】
本発明に係る改良のカメラのトップフラッシュランプは、リチウム電池をトップフラッシュランプの内蔵電池をとして採用し、従来のカメラのトップフラッシュランプに比べてランプ充電速度が大幅に向上する。好適な形態では、リチウム電池が挿入される過程で電気入力コンタクトに歪みが形成され、この歪みは、第一直角辺及び第二直角辺をそれぞれ電気出力コンタクトの端面直角辺及び底面直角辺に充分に接触させることができ、接触抵抗が小さくなるため、ランプ充電電流を限定しないことが可能になり、満充電の場合、ランプ充電速度が１．５秒だけであり、１回の充電だけで６５０回以上発光できる。且つ、ランプ、リチウム電池及び充電器だけで、様々な応用の要求を満たすことができ、従来技術に比べて、全体コストを低減しており、本発明の目的を達することが明らかである。
【図面の簡単な説明】
【０００７】
図１は、本発明の好適な実施形態に係る改良のカメラのトップフラッシュランプの構造概略図である。
図２は、本発明の好適な実施形態に係る改良のカメラのトップフラッシュランプのリチウム電池の外観構造概略図である。
図３は、図２に比べて視角が変わった、本発明の好適な実施形態に係る改良のカメラのトップフラッシュランプのリチウム電池の外観構造概略図である。
図４は、本発明の好適な実施形態に係る改良のカメラのトップフラッシュランプの電気出力コンタクト及び電気入力コンタクトの構造原理図である。
【符号の説明】
【０００８】
１           ランプヘッド
２           ランプベース
３           電池収納チェンバーカバー
４           電池収納チェンバー
５           リチウム電池
５１       前端面
５２       底面
６           電気出力コンタクト
６１       端面直角辺
６２       底面直角辺
７           電気入力コンタクト
７１       第一直角辺
７２       第二直角辺
【発明を実施するための形態】
【０００９】
以下、本発明の好適な実施形態に係る改良のカメラのトップフラッシュランプ及び図面を参照して、本発明について説明する。
【００１０】
本発明の好適な実施形態に係る改良のカメラのトップフラッシュランプは、図１、図２、図３及び図４に示されるように、ランプベース２及びランプヘッド１を備える。前記ランプヘッド１は、ランプベース２に蝶着され、ランプベース２に対して回動可能である。前記ランプベース２には、電池収納チェンバー３が形成され、電池収納チェンバーカバー４がさらに備わる。前記電池収納チェンバー３内に、リチウム電池５が収納される。前記リチウム電池５は、電気出力コンタクト６を備える。前記電気出力コンタクト６は、直角片状を呈し、端面直角辺６１と底面直角辺６２からなる。前記端面直角辺６１は、前記リチウム電池５の前端面５１に位置する。前記底面直角辺６２は、リチウム電池５の底面５２に設置される。前記電池収納チェンバー３内には、電気入力コンタクト７が備わる。この好適な実施形態では、前記電気入力コンタクト７も、直角片状を呈し、前記電気出力コンタクト６の端面直角辺６１に対応する第一直角辺７１及び前記電気出力コンタクト６の底面直角辺６２に対応する第二直角辺７２を備える。前記第二直角辺７２の一端は、前記電池収納チェンバー３におけるリチウム電池５の底面５２に対向する側壁４１に固定され、且つ、前記第二直角辺７２と前記側壁４１との間には、１０度の夾角が形成される。
【００１１】
要するに、本発明に係る改良のカメラのトップフラッシュランプは、ランプベース及びランプヘッドを備え、前記ランプヘッドは、ランプベースに蝶着され、ランプベースに対して回動可能であり、前記ランプベースには、電池収納チェンバーが形成され、電池収納チェンバーカバーがさらに備わっており、前記電池収納チェンバー内には、リチウム電池が収納され、前記リチウム電池は、電気出力コンタクトを備え、前記電気出力コンタクトは、直角片状を呈し、端面直角辺と底面直角辺からなり、前記端面直角辺は、前記リチウム電池の前端面に位置し、前記底面直角辺は、リチウム電池の底面に設置され、前記電池収納チェンバー内には、電気入力コンタクトが備わり、少なくとも前記電池収納チェンバーにおけるリチウム電池の底面に対向する側壁に電気入力コンタクトが設けられることを特徴とする。従来技術に比べて、本発明は、性能を改善し、全体コストを低減する。
【図１】
2016513813.tif 000003
【図２】
2016513813.tif 000004
【図３】
2016513813.tif 000005
【図４】
2016513813.tif 000006
【国際調査報告】
2016513813.tif 000007
2016513813.tif 000008
2016513813.tif 000009
2016513813.tif 000010
2016513813.tif 000011
2016513813.tif 000012
2016513813.tif 000013